(57)【特許請求の範囲】
【請求項１】
回転ドラム式の有機物発酵槽（２）を備えており、有機物発酵槽（２）の内部に空気供給本管（６）が発酵槽（２）の全長にわたって設けられ、空気供給本管（６）の下縁部には、複数の分散枝管（７）が所定間隔おきにかつ連通状に取り付けられ、空気供給本管（６）の内部に各分散枝管（７）毎に空気量調整装置（１０）が設けられ、空気量調整装置（１０）は、分散枝管（７）の上端部を開閉するスライド板（１１）と、スライド板（１１）の先端部（１１ａ）に取り付けられた中空棒よりなる遠隔操作杆（１３）とを備え、各遠隔操作杆（１３）の垂下部（１３ａ）がスライド板（１１）の先端部（１１ａ）に貫通状に取り付けられ、遠隔操作杆（１３）の水平部（１３ｂ）は、垂下部（１３ａ）の上端に接続され、すべての遠隔操作杆（１３）の先端部（１３ｃ）が、空気供給本管（６）の端蓋（８）を貫通して外側に取り出され、これらの遠隔操作杆（１３）の先端部（１３ｃ）が、空気供給本管（６）の端蓋（８）より所定長さ出し入れされることにより、各分散枝管（７）毎に設けられた空気量調整装置（１０）のスライド板（１１）が作動せしめられて、各分散枝管（７）毎の空気量の調整が行なわれるようになされ、操作杆垂下部（１３ａ）の先端は、分散枝管（７）の内部にまで至っていて、中空棒製遠隔操作杆（１３）が圧力導管として用られ、該圧力導管により各分散枝管（７）の内部圧力が監視されることにより、各分散枝管（７）の吹出し口の有機物（Ｔ）の堆積等による閉塞を検知するようになされていることを特徴とする、有機物発酵装置。
【請求項２】
中空棒製遠隔操作杆（１３）の垂下部（１３ａ）が、各分散枝管（７）の内部にまで至っていて、同遠隔操作杆（１３）の水平部（１３ｂ）の他端より圧縮空気または高圧水等の加圧流体が注入されることにより、吹出し口の有機物（Ｔ）の堆積等による閉塞が防止されるようになされていることを特徴とする、請求項１に記載の有機物発酵装置。
【請求項３】
すべての遠隔操作杆（１３）の先端部（１３ｃ）にキャップ（２９）がそれぞれ嵌め被せられ、空気供給本管（６）の端蓋（８）には、すべての操作杆（１３）の先端部（１３ｃ）をスライド自在に保持する同数のスリーブ（２７）が貫通状に取り付けられ、各スリーブ（２７）には、遠隔操作杆（１３）の先端部（１３ｃ）を所定の位置で締め付けて固定するボルト（２８）が取り付けられていることを特徴とする、請求項１または２に記載の有機物発酵装置。
【請求項４】
有機物発酵槽（２）の内部において、空気供給本管（６）下端部の分散枝管取付部分に下向き凸部（１８）が、分散枝管（７）の先端部に上向き凸部（１９）がそれぞれ取り付けられて、両凸部（１８）（１９）同士の間にワイヤ（１６）が渡され、各分散枝管（７）が有機物発酵槽（２）の回転方向に準じる略円弧状に傾斜する形に保持されるようになされていることを特徴とする、請求項１〜３のうちのいずれか一項に記載の有機物発酵装置。
【発明の詳細な説明】
【０００１】
【発明の属する技術分野】
本発明は、例えば卸売市場、食品加工工場などから生じる生ごみおよび畜産場などから生じる糞等の有機物の高速堆肥化施設に用いられる特に大型の有機物発酵装置に関するものである。
【０００２】
【従来の技術】
従来、生ごみや糞等の有機物発酵槽の発酵促進のため、加熱空気を送気することは、例えば特開平８−８４９８０号公報に記載されているように、既に行なわれており、有機物発酵槽における空気供給装置としては、送気を分散管を用いて行なうこと、あるいは多孔板を用いることが行なわれているが、空気量調整は、通常、元弁による全量一括調整方式であった。この方式は、生ごみや糞等の有機物と空気が発酵槽内で攪拌・混合されるような小型の発酵槽では、有効な方式である。
【０００３】
ところで、卸売市場、食品加工工場などから生じる生ごみおよび畜産場などから生じる糞等のように大量の有機物が発生する施設では、用いられる発酵槽も大型化・連続化し、発酵槽内に投入された生ごみや糞等の有機物は、発酵槽内を入口から出口に向かって移動する間に分解される。このため、発酵槽内の場所によって発酵状態が異なり、また有機物の供給量・組成などが変動するなどにより、分解過程や分解速度等も発酵槽の移動方向に沿って変化することになり、必要な空気量が場所によって異なる。
【０００４】
【発明が解決しようとする課題】
しかしながら、従来の生ごみや糞等の有機物の発酵槽における全量一括調整方式による空気供給装置では、発酵槽全体に平均的に空気が供給されるため、発酵槽内の移動方向に沿って変化する有機物の発酵状態に対応した最適な空気量の調整ができないという問題があった。
【０００５】
本発明の目的は、上記の従来技術の問題を解決し、発酵槽内の空気の調整量を生ごみや糞等の有機物の移動方向に沿って調整可能となし、最適条件下で有機物を発酵させることができて、有機物の発酵分解処理を短時間で行なうことができ、有機物の高速堆肥化が可能である、有機物発酵装置を提供しようとすることにある。
【０００６】
【課題を解決するための手段】
上記の目的を達成するために、本発明による請求項１記載の有機物発酵装置は、回転ドラム式の有機物発酵槽（２）を備えており、有機物発酵槽（２）の内部に空気供給本管（６）が発酵槽（２）の全長にわたって設けられ、空気供給本管（６）の下縁部には、複数の分散枝管（７）が所定間隔おきにかつ連通状に取り付けられ、空気供給本管（６）の内部に各分散枝管（７）毎に空気量調整装置（１０）が設けられ、空気量調整装置（１０）は、分散枝管（７）の上端部を開閉するスライド板（１１）と、スライド板（１１）の先端部（１１ａ）に取り付けられた中空棒よりなる遠隔操作杆（１３）とを備え、各遠隔操作杆（１３）の垂下部（１３ａ）がスライド板（１１）の先端部（１１ａ）に貫通状に取り付けられ、遠隔操作杆（１３）の水平部（１３ｂ）は、垂下部（１３ａ）の上端に接続され、すべての遠隔操作杆（１３）の先端部（１３ｃ）が、空気供給本管（６）の端蓋（８）を貫通して外側に取り出され、これらの遠隔操作杆（１３）の先端部（１３ｃ）が、空気供給本管（６）の端蓋（８）より所定長さ出し入れされることにより、各分散枝管（７）毎に設けられた空気量調整装置（１０）のスライド板（１１）が作動せしめられて、各分散枝管（７）毎の空気量の調整が行なわれるようになされ、操作杆垂下部（１３ａ）の先端は、分散枝管（７）の内部にまで至っていて、中空棒製遠隔操作杆（１３）が圧力導管として用られ、該圧力導管により各分散枝管（７）の内部圧力が監視されることにより、各分散枝管（７）の吹出し口の有機物（Ｔ）の堆積等による閉塞を検知するようになされていることを特徴としている。
請求項２は、請求項１に記載の有機物発酵装置であって、中空棒製遠隔操作杆（１３）の垂下部（１３ａ）が、各分散枝管（７）の内部にまで至っていて、同遠隔操作杆（１３）の水平部（１３ｂ）の他端より圧縮空気または高圧水等の加圧流体が注入されることにより、吹出し口の有機物（Ｔ）の堆積等による閉塞が防止されるようになされていることを特徴としている。
請求項３は、請求項１または２に記載の有機物発酵装置であって、すべての遠隔操作杆（１３）の先端部（１３ｃ）にキャップ（２９）がそれぞれ嵌め被せられ、空気供給本管（６）の端蓋（８）には、すべての操作杆（１３）の先端部（１３ｃ）をスライド自在に保持する同数のスリーブ（２７）が貫通状に取り付けられ、各スリーブ（２７）には、遠隔操作杆（１３）の先端部（１３ｃ）を所定の位置で締め付けて固定するボルト（２８）が取り付けられていることを特徴としている。
請求項４は、請求項１〜３のうちのいずれか一項に記載の有機物発酵装置。
有機物発酵槽（２）の内部において、空気供給本管（６）下端部の分散枝管取付部分に下向き凸部（１８）が、分散枝管（７）の先端部に上向き凸部（１９）がそれぞれ取り付けられて、両凸部（１８）（１９）同士の間にワイヤ（１６）が渡され、各分散枝管（７）が有機物発酵槽（２）の回転方向に準じる略円弧状に傾斜する形に保持されるようになされていることを特徴としている。
（作用）
本発明による有機物発酵装置は、回転ドラム式の有機物発酵槽（２）を備えており、有機物発酵槽（２）の内部に空気供給本管（６）が発酵槽（２）の全長にわたって設けられ、空気供給本管（６）の下縁部には、複数の分散枝管（７）が所定間隔おきにかつ連通状に取り付けられ、空気供給本管（６）の内部に各分散枝管（７）毎に空気量調整装置（１０）が設けられ、空気量調整装置（１０）は、分散枝管（７）の上端部を開閉するスライド板（１１）と、スライド板（１１）の先端部（１１ａ）に取り付けられた中空棒よりなる遠隔操作杆（１３）とを備え、各遠隔操作杆（１３）の垂下部（１３ａ）がスライド板（１１）の先端部（１１ａ）に貫通状に取り付けられ、遠隔操作杆（１３）の水平部（１３ｂ）は、垂下部（１３ａ）の上端に接続され、すべての遠隔操作杆（１３）の先端部（１３ｃ）が、空気供給本管（６）の端蓋（８）を貫通して外側に取り出され、これらの遠隔操作杆（１３）の先端部（１３ｃ）が、空気供給本管（６）の端蓋（８）より所定長さ出し入れされることにより、各分散枝管（７）毎に設けられた空気量調整装置（１０）のスライド板（１１）が作動せしめられて、各分散枝管（７）毎の空気量の調整が行なわれるようになされ、操作杆垂下部（１３ａ）の先端は、分散枝管（７）の内部にまで至っていて、中空棒製遠隔操作杆（１３）が圧力導管として用られ、該圧力導管により各分散枝管（７）の内部圧力が監視されることにより、各分散枝管（７）の吹出し口の有機物（Ｔ）の堆積等による閉塞を検知するようになされているから、発酵槽（２）内の空気の調整量を生ごみや糞等の有機物の移動方向に沿って調整可能であり、従って、最適条件下で有機物を発酵させることができて、有機物の発酵分解処理を短時間で行なうことができ、有機物の高速堆肥化が可能である。
【０００７】
このとき、各分散枝管（７）毎に設けられた空気量調整装置（１０）の遠隔操作杆（１３）を、有機物発酵槽（２）および空気供給本管（６）の外部より操作して、各分散枝管（７）毎の空気量の調整が行なわれる。
【０００８】
上記においては、例えば有機物発酵槽（２）の出入口側の空気量が少なく、中央部に至るほど空気量が多くなるように、各分散枝管（７）の開度が、スライド板（１１）の前後移動によって調節される。
【０００９】
また、各分散枝管（７）毎に設けられた空気量調整装置（１０）の遠隔操作杆（１３）が中空棒によってつくられ、該中空棒製遠隔操作杆（１３）が圧力導管となされ、該圧力導管により各分散枝管（７）の内部圧力が監視されることにより、各分散枝管（７）の吹出し口の有機物の堆積等による閉塞が検知される。
【００１０】
同様に、各分散枝管（７）毎に設けられた空気量調整装置（１０）の中空棒製遠隔操作杆（１３）の垂下部（１３ａ）が、各分散枝管（７）の内部にまで至っていて、同遠隔操作杆（１３）の水平部（１３ｂ）の他端より圧縮空気または高圧水等の加圧流体が注入されて、吹出し口の有機物の堆積等による閉塞が防止される。
【００１１】
【発明の実施の形態】
つぎに、本発明の実施の形態を、回転ドラム式有機物発酵槽に適用した例につき、図面を参照して説明する。
【００１２】
まず図１を参照すると、卸売市場や食品加工工場などから生じる生ごみおよび畜産場などから生じる糞等の有機物の高速堆肥化施設に用いられる大型の有機物発酵装置（１）は、回転ドラム式の有機物発酵槽（２）を備えている。回転ドラム式発酵槽（２）の一端には入口フード（３）が、同他端には出口フード（４）が、それぞれ環状シール材（２４）を介して被せられ、有機物発酵槽（２）自体が回動自在となされている。
【００１３】
有機物発酵槽（２）の入口フード（３）には、スクリューフィーダ（５）が取り付けられていて、このフィーダ（５）により生ごみや糞等の有機物（Ｔ）が発酵槽（２）内に供給される。そして、有機物発酵槽（２）の内部には、空気供給本管（６）が発酵槽（２）の全長にわたって設けられ、空気供給本管（６）の下縁部には、分散枝管（７）が所定間隔おきにかつ連通状に取り付けられている。例えば大型の有機物発酵槽（２）の全長が２０ｍもあるような場合には、空気供給本管（６）の下縁部には、例えば１０〜２０本の分散枝管（７）が取り付けられるものである。
【００１４】
なお、空気供給本管（６）の出口フード（４）側の外端部には、端蓋（８）が取り付けられている。空気供給本管（６）の外端部の上側には、作業員が空気供給本管（６）内に入り込むためのマンホール（９）が設けられ、これには上蓋が被せられている。
【００１５】
つぎに、図１〜図５を参照すると、本発明による有機物発酵槽（２）における空気量調整装置（１０）は、空気供給本管（６）の内部に各分散枝管（７）毎に設けられていて、各分散枝管（７）毎に空気量が調整されるようになされている。
【００１６】
空気量調整装置（１０）は、分散枝管（７）の上端部を開閉するスライド板（１１）と、スライド板（１１）の先細の先端部（１１ａ）に取り付けられた中空棒よりなる遠隔操作杆（１３）とを備えている。スライド板（１１）の左右両端部は、横断面略Ｌ形のガイド（１２）（１２）によって摺動自在に保持されている。
【００１７】
各遠隔操作杆（１３）の垂下部（１３ａ）が支持パイプ（１５）を介してスライド板（１１）の先細の先端部（１１ａ）に貫通状に取り付けられ、操作杆垂下部（１３ａ）の先端は、分散枝管（７）の長さの中央部にまで至っている。一方、遠隔操作杆（１３）の水平部（１３ｂ）は、垂下部（１３ａ）の上端に倒Ｌ字形継手部材（１４）を介して接続されている。
【００１８】
そして、図３に詳しく示すように、すべての遠隔操作杆（１３）の先端部（１３ｃ）が、空気供給本管（６）の端蓋（８）を貫通して外側に取り出され、その先端部（１３ｃ）にキャップ（２９）がそれぞれ嵌め被せられている。端蓋（８）には、すべての操作杆（１３）の先端部（１３ｃ）をスライド自在に保持する同数のスリーブ（２７）が貫通状に取り付けられ、各スリーブ（２７）には、遠隔操作杆（１３）の先端部（１３ｃ）を所定の位置で締め付けて固定するボルト（２８）が取り付けられている。
【００１９】
そして、各分散枝管（７）毎に設けられた空気量調整装置（１０）のスライド板（１１）が、これらに取り付けられた遠隔操作杆（１３）の先端部（１３ｃ）を、空気供給本管（６）の端蓋（８）より所定長さ出し入れすることにより作動せしめられて、各分散枝管（７）毎の空気量の調整が行なわれる。このとき、例えば有機物発酵槽（２）の出入口側の空気量が少なくかつ中央部に至るほど空気量が多くなるように、各分散枝管（７）の開度が、スライド板（１１）の前後移動によって調節される（図３参照）。
【００２０】
なお、有機物発酵槽（２）の出口側の後半部には、空気供給本管（６）の側部外面に沿うように散水管（１７）が取り付けられ、発酵中の生ごみや糞等の有機物（Ｔ）に空気と共に水が供給されるようになされている。
【００２１】
また、図２に詳しく示すように、有機物発酵槽（２）の内部において、空気供給本管（６）下端部の分散枝管取付部分に下向き凸部（１８）が、分散枝管（７）の先端部に上向き凸部（１９）がそれぞれ取り付けられて、両凸部（１８）（１９）同士の間にワイヤ（１６）が渡され、各分散枝管（７）が有機物発酵槽（２）の回転方向に準じる略円弧状に傾斜する形に保持されるようになされている。
【００２２】
回転ドラム式の有機物発酵槽（２）の内周面には、多数の発酵有機物（Ｔ）の攪拌・移動用ブレードとしてのリフタ（２２）が所定間隔おきに設けられ、有機物発酵槽（２）の出口フード（４）の下端部には処理済み発酵物（Ｔ）の排出口（２０）が設けられるとともに、同出口フード（４）の上端部には排気管（２１）が接続されていて、有機物の発酵において生じたガスが、所定ガス処理層（図示略）に導かれて、無害化処理せられるものである。
【００２３】
有機物発酵槽（２）内の空気供給本管（６）の上縁部に沿って、横断面略三角形状の発酵物堆積防止用プレート（２３）がほゞ全長にわたって設けられている。
【００２４】
また、図６に詳しく示すように、有機物発酵槽（２）の中央部には、１つの回動用ギヤ（２６）が取り付けられ、この回動用ギヤ（２６）は駆動ギヤ（３１）に噛み合わせられている。駆動ギヤ（３１）は、減速機（３３）を介してモータ（３２）により回転駆動せしめられ、これによって有機物発酵槽（２）の全体が、所定の回転速度で回転せしめられて、生ごみや糞等の有機物（Ｔ）の発酵堆肥化処理が行なわれる。
【００２５】
また、図７に詳しく示すように、回転ドラム式の有機物発酵槽（２）の前後部には、２つのタイヤ（２５）が発酵槽（２）の円周方向に取り付けられて、２つのタイヤ（２５）は、フロア（Ｆ）に設置された前後一対ずつ２組の回転支持ローラ（３０）により回動自在に支持されている。
【００２６】
なお、上記実施形態においては、遠隔操作杆（１３）が中空棒によってつくられていて、中空棒製遠隔操作杆（１３）を圧力導管として用い、該圧力導管により各分散枝管（７）の内部圧力が監視されることにより、各分散枝管（７）の吹出し口の有機物（Ｔ）の堆積等による閉塞を検知することができる。
【００２７】
また、上記実施形態では、中空棒製遠隔操作杆（１３）の垂下部（１３ａ）が、各分散枝管（７）の内部に至っていて、同遠隔操作杆（１３）の水平部（１３ｂ）の他端より圧縮空気または高圧水等の加圧流体が注入されることにより、吹出し口の有機物（Ｔ）の堆積等による閉塞が防止される。
【００２８】
なお、上記実施形態では、各分散枝管（７）毎に設けられた空気量調整装置（１０）のスライド板（１１）を作動するために、遠隔操作杆（１３）が用いられているが、場合によっては、例えば空気供給本管（６）の外端部上側に設けられたマンホール（９）から、作業員が空気供給本管（６）の内部に入り込んで、各分散枝管（７）毎の空気量の調整を、人手により直接行なうこともある。
【００２９】
【発明の効果】
本発明による有機物発酵装置は、上述のように、回転ドラム式の有機物発酵槽（２）を備えており、有機物発酵槽（２）の内部に空気供給本管（６）が発酵槽（２）の全長にわたって設けられ、空気供給本管（６）の下縁部には、複数の分散枝管（７）が所定間隔おきにかつ連通状に取り付けられ、空気供給本管（６）の内部に各分散枝管（７）毎に空気量調整装置（１０）が設けられ、空気量調整装置（１０）は、分散枝管（７）の上端部を開閉するスライド板（１１）と、スライド板（１１）の先端部（１１ａ）に取り付けられた中空棒よりなる遠隔操作杆（１３）とを備え、各遠隔操作杆（１３）の垂下部（１３ａ）がスライド板（１１）の先端部（１１ａ）に貫通状に取り付けられ、遠隔操作杆（１３）の水平部（１３ｂ）は、垂下部（１３ａ）の上端に接続され、すべての遠隔操作杆（１３）の先端部（１３ｃ）が、空気供給本管（６）の端蓋（８）を貫通して外側に取り出され、これらの遠隔操作杆（１３）の先端部（１３ｃ）が、空気供給本管（６）の端蓋（８）より所定長さ出し入れされることにより、各分散枝管（７）毎に設けられた空気量調整装置（１０）のスライド板（１１）が作動せしめられて、各分散枝管（７）毎の空気量の調整が行なわれるようになされ、操作杆垂下部（１３ａ）の先端は、分散枝管（７）の内部にまで至っていて、中空棒製遠隔操作杆（１３）が圧力導管として用られ、該圧力導管により各分散枝管（７）の内部圧力が監視されることにより、各分散枝管（７）の吹出し口の有機物（Ｔ）の堆積等による閉塞を検知するようになされているもので、例えば卸売市場や食品加工工場などから生じる生ごみおよび畜産場などから生じる糞等の有機物の高速堆肥化施設に用いられる大型の有機物発酵槽について、入口から出口に向かって移動し、微生物により発酵分解される生ごみや糞等の有機物に対して、移動方向に沿って発酵状態に応じて、空気の供給量を調節することができるので、高い発酵効率を得ることができる。従って、最適条件下で有機物を発酵させることができて、有機物の発酵分解処理を短時間で行なうことができ、生ごみや糞等の有機物の高速堆肥化が可能であるという効果を奏する。
【００３０】
また、各分散枝管（７）毎に設けられた空気量調整装置（１０）の遠隔操作杆（１３）が中空棒によってつくられ、該中空棒製遠隔操作杆（１３）が圧力導管となされ、該圧力導管により各分散枝管（７）の内部圧力が監視されることにより、各分散枝管（７）の吹出し口の有機物の堆積等による閉塞を検知し得る。
同様に、各分散枝管（７）毎に設けられた空気量調整装置（１０）の中空棒製遠隔操作杆（１３）の垂下部（１３ａ）が、各分散枝管（７）の内部にまで至っていて、同遠隔操作杆（１３）の水平部（１３ｂ）の他端より圧縮空気または高圧水等の加圧流体が注入されて、吹出し口の有機物の堆積等による閉塞が防止される。
【００３１】
従って、作業員が有機物発酵槽（２）の内部に入らずに分散枝管（７）の空気吹出し口の閉塞の確認、並びに閉塞の解消ができるので、有機物発酵槽（２）の連続安定運転の実現を図ることができるという効果を奏する。
【図面の簡単な説明】
【図１】  本発明の実施の形態を示す有機物発酵槽全体の概略断面図である。
【図２】  同発酵槽部分の拡大断面図である。
【図３】  本発明の空気量調整装置部分の一部切欠き拡大断面図である。
【図４】  同空気量調整装置の要部拡大平面図である。
【図５】  同空気量調整装置の要部拡大断面図である。
【図６】  図１のＡーＡ線に沿う拡大断面図である。
【図７】  図１のＢーＢ線に沿う拡大断面図である。
【符号の説明】
１：大型有機物発酵装置
２：回転ドラム式の有機物発酵槽
３：入口フード
４：出口フード
５：スクリューフィーダ
Ｔ：有機物
６：空気供給本管
７：分散枝管
８：端蓋
９：マンホール
１０：空気量調整装置
１１：スライド板
１１ａ：先端部
１３：中空棒製遠隔操作杆
１３ａ：垂下部
１３ｂ：水平部
１３ｃ：先端部
１６：ワイヤ
１７：散水管
１８：下向き凸部
１９：上向き凸部
２０：発酵有機物排出口
２５：タイヤ
２６：回動用ギア
２７：スリーブ
２８：固定ボルト
２９：キャップ
【図１】
0004106482.tif 000002
【図２】
0004106482.tif 000003
【図３】
0004106482.tif 000004
【図４】
0004106482.tif 000005
【図５】
0004106482.tif 000006
【図６】
0004106482.tif 000007
【図７】
0004106482.tif 000008